(57)【要約】【課題】面状止水材を外壁パネル間の奥方位置に設置でき、しかも、その設置を外壁パネルの建方後に行える外壁パネル間の縦目地止水構造を提供する。【解決手段】隣り合う左右の外壁パネル１，１間において、各外壁パネルの下地材６と外壁面材５との間に、外壁パネル間方向に開き、反対方向に閉じるスリット２が設けられ、面状止水材３がその幅方向の両側部を各スリット２，２内に差し込むようにして設置されて、外壁パネル１，１間が、該面状止水材３により、外壁面材５と下地材６との間の位置で止水されている。各スリット２は、下地材６の側に備えられた切欠き６ａによって形成され、各スリット２内の奥方には下地材６と外壁面材５との間を止水状態にする粘着止水材８が設けられ、面状止水材３の両側部は該粘着止水材８，８に止水状態に粘着されている。【選択図】      図１
2005023710.tif 000002
【特許請求の範囲】
【請求項１】
隣り合う左右の外壁パネル間において、両外壁パネルの外壁面材の縁部背面側に下地材を介してパネルフレームが備えられ、
各外壁パネルの前記下地材と外壁面材との間に、外壁パネル間方向に開き、反対方向に閉じるスリットが設けられ、
面状止水材がその幅方向の両側部を各スリット内に差し込むようにして設置されて、外壁パネル間が、該面状止水材により、外壁面材と下地材との間の位置で止水されていることを特徴とする外壁パネル間の縦目地止水構造。
【請求項２】
前記スリットが、下地材の側に備えられた切欠きによって形成されている請求項１に記載の外壁パネル間の止水構造。
【請求項３】
各スリット内の奥方に下地材と外壁面材との間を止水状態にする粘着止水材が設けられ、面状止水材の両側部が該粘着止水材に止水状態に粘着されている請求項１又は２に記載の外壁パネル間の縦目地止水構造。
【発明の詳細な説明】
【０００１】
【発明の属する技術分野】
本発明は、外壁パネル間の縦目地止水構造に関する。
【０００２】
【従来の技術】
【特許文献１】特開２０００−１９６８号公報
住宅等の建物において、隣り合う左右の外壁パネル間部分の２次的な止水を、外壁面材とパネルフレームとの間に介設される下地材の背面側に面状止水材を設置して行うようにしたものが提供されている（特許文献１）。
【０００３】
【発明が解決しようとする課題】
しかしながら、この構造では、外壁パネルの建方を行う前に、建物の躯体側に面状止水材を取り付けておかなければならないが、そうすると、外壁パネルの建方時に、外壁パネルと面状止水材とがこすれ合ったり強く当たって面状止水材の止水機能を損なわせてしまうおそれがあることから、そのようなことが起こらないように、外壁パネルの建方を慎重に行っていかなければならないという問題があった。
【０００４】
本発明は、上記のような問題点に鑑み、面状止水材を、外壁パネル間の奥方位置に設置することができ、しかも、その設置を外壁パネルの建方後の段階で行うことができる外壁パネル間の縦目地止水構造を提供することを課題とする。
【０００５】
【課題を解決するための手段】
上記の課題は、隣り合う左右の外壁パネル間において、両外壁パネルの外壁面材の縁部背面側に下地材を介してパネルフレームが備えられ、
各外壁パネルの前記下地材と外壁面材との間に、外壁パネル間方向に開き、反対方向に閉じるスリットが設けられ、
面状止水材がその幅方向の両側部を各スリット内に差し込むようにして設置されて、外壁パネル間が、該面状止水材により、外壁面材と下地材との間の位置で止水されていることを特徴とする外壁パネル間の縦目地止水構造によって解決される。
【０００６】
この構造では、隣り合う外壁パネル間において、外壁パネルの下地材と外壁面材との間に外壁パネル間方向に開くスリットが設けられ、面状止水材がその幅方向の両側部を各スリット内に差し込むようにして設置されているので、面状止水材を外壁パネル間の奥方位置に設置することができ、しかも、その設置を外壁パネルの建方後の段階で行うことができ、加えて、スリットは外壁パネル間と反対方向において閉じているので、面状止水材がスリット内に差し込まれた状態となることで外壁パネル間を止水することができる。
【０００７】
更に、スリットは外壁面材と下地材との間に設けられているので、外壁面材そのものにスリットを設ける場合に比べ、スリットを、外壁面材と下地材との組み合わせによって容易に形成することができる。
【０００８】
特に、前記スリットが、下地材の側に備えられた切欠きによって形成されている場合は、下地材が外壁面材に比べてサイズ的に小さく、軽量であることなどから、外壁面材の側に切欠きを形成する場合に比べて、切欠きを容易に形成することができる。
【０００９】
また、各スリット内の奥方に下地材と外壁面材との間を止水状態にする粘着止水材が設けられ、面状止水材の両側部が該粘着止水材に止水状態に粘着されているとよい。この場合は、粘着止水材の止水作用によって、下地材と外壁面材との間が止水され、しかも、面状止水材の両側部も止水されるので、下地材と外壁面材との間や、面状止水材の両側部を越えて屋内側に水が侵入するのを確実に防ぐことができ、止水性能を高いものにすることができる。しかも、下地材と外壁面材との間を止水する粘着止水材によって面状止水材の側部も止水するようにしているので、簡素な構造で高い止水性能を発揮することができる。
【００１０】
【発明の実施の形態】
次に、本発明の実施形態を図面に基づいて説明する。
【００１１】
図１及び図２に示す実施形態の止水構造において、１，１は隣り合う左右の外壁パネル、２，２はスリット、３は面状止水材である。なお、４は建物躯体としての柱である。
【００１２】
各外壁パネル１は、図３（イ）に示すように、外壁面材５の側縁部の背面側に上下方向に延びる帯板状の下地材６が備えられると共に、下地材６の背面側に縦パネルフレーム７が備えられ、それらがビスなどによって一体化されたもので、下地材６と外壁面材５との間に、外壁パネル１，１間方向に開き、反対方向に閉じたスリット２が設けられている。
【００１３】
本実施形態では、スリット２が、図３（ロ）に示すように、下地材６の側に備えられた切欠き６ａによって形成されている。なお、下地材６は、例えば発泡ポリスチレン樹脂などのそれ自体で止水性を備えたものなどからなっており、切欠き６ａは、一体物の下地材に切欠き加工を施したり、あるいは、切欠きを有する下地材を一体成形したり、あるいは、下地材を積層構造にしたりすることで形成されたものであってよい。
【００１４】
そして、図２等に示すように、各スリット２，２内の奥方には、下地材６と外壁面材５との間を止水状態にするブチル等の粘着止水材８が設けられ、図１（ロ）に示すように、面状止水材３の幅方向の両側部が対のスリット２，２内に差し込まれて粘着止水材８，８に止水状態に粘着されている。
【００１５】
なお、粘着止水材８をスリット２，２内の奥方位置に設けるのが容易でない場合には、外壁パネル１の製作において、図３（ロ）に示すように、予め、下地材６の切欠き６ａ内の奥方位置に粘着止水材８を付け、その後、図３（イ）に示すように、下地材６と外壁面材５を重ね合わせるというようにして設けるのもよい。
【００１６】
面状止水材３は、屋外側から外壁パネル１，１間に押し込むようにして設置してもよいし、上方より差し込んで下方にスライドさせていくことによって設置してもよい。本実施形態の面状止水材３は、ポリプロピリン樹脂等からなっていて、断面「く」の字の面状をしており、両側部を対のスリット２，２内に差し込んだ状態で、両翼３ａ，３ａを開くことにより、両側部を余裕をもって粘着止水材８，８に粘着させることができるようになされている。両翼３ａ，３ａを開くため、「く」の字の屈曲部内周側に、切除可能なつまみを備えさせ、屋外側からつまみを引いて両翼３ａ，３ａを開き、粘着止水材８，８への粘着後、つまみを切除するというようにするのもよい。
【００１７】
更に、本実施形態では、隣り合う左右の外壁パネル１，１の外壁面材５，５間が乾式ガスケット９で一次的に止水されており、面状止水材３が２次止水材として備えられている。なお、乾式ガスケット９に替えて、湿式シーリングで１次的に止水するようにしてもよいし、あるいは、外壁面材５，５間を目地幅ゼロないしは略ゼロにして１次的に止水するようにしてもよいし、外壁面材５，５間は種々の形式で１次止水されていればよい。また、外壁面材５，５間をオープンにして、面状止水材３を一次止水材とするのもよい。
【００１８】
上記の止水構造では、隣り合う左右の外壁パネル１，１間において、各外壁パネル１の下地材６と外壁面材５との間に外壁パネル１，１間方向に開くスリット２が設けられ、面状止水材３がその幅方向の両側部を各スリット２内に差し込むようにして設置されているので、面状止水材を、外壁パネル１間の奥方位置に設置することができ、しかも、その設置を外壁パネル１，１の建方後の段階で行うことができ、加えて、面状止水材３が有底のスリット２，２内に差し込まれた状態となることで外壁パネル１間を止水することができる。
【００１９】
更に、スリット２は外壁面材５と下地材６との間に設けられているので、外壁面材５そのものにスリットを設ける場合に比べ、スリット２を、外壁面材５と下地材６との組み合わせによって容易に形成することができる。特に、本実施形態では、スリット２を、下地材６の側に備えられた切欠き６ａによって形成しているので、外壁面材５の側に切欠きを形成する場合に比べて、切欠き６ａの形成を容易に行うことができる。
【００２０】
また、各スリット２内の奥方、本実施形態ではスリット２の奥方底部分に、下地材６と外壁面材５との間を止水状態にする粘着止水材８が設けられ、面状止水材３の両側部が各粘着止水材８，８に止水状態に粘着されているので、粘着止水材８の止水作用によって、下地材６と外壁面材５との間が止水され、しかも、面状止水材３の両側部も粘着止水材８で止水されるので、下地材６と外壁面材５との間や、面状止水材３の両側部を越えて屋内側に水が侵入するのを確実に防ぐことができる。しかも、下地材６と外壁面材５との間を止水する粘着止水材８によって面状止水材３の側部も止水するようにしているから、簡素な構造でしっかりとした止水状態を形成することができる。
【００２１】
更に、下地材６の背面側への止水材の設置を省略しているので、例えば、下屋の屋根と屋根上方の外壁との境界部や、外壁パネルの基礎側などにおいて、水切りの上縁側を、外壁パネル下地材の背面側に容易に設置することができる。
【００２２】
以上に、本発明の実施形態を示したが、本発明はこれに限られるものではなく、発明思想を逸脱しない範囲で各種の変更が可能である。例えば、上記の実施形態では、下地材６と外壁面材５との間を止水する粘着止水材８によって面状止水材３の側部も止水するようにしている場合を示しているが、粘着止水材８，８を省略し、面状止水材３の両側部が対のスリット２，２内に差し込まれているだけのものであってもよく、例えばそのような場合には、面状止水材として、帯板状のものや、断面ハット形のものなどが用いられてもよい。また、スリットは、外壁面材の側に設けられた切欠きによって形成されたものであってもよいし、外壁面材の側に設けられた切欠きと下地材の側に設けられた切欠きとの組み合わせによって形成されたものであってもよい。
【００２３】
【発明の効果】
本発明は、以上のとおりのものであるから、面状止水材を、外壁パネル間の奥方位置に設置することができ、しかも、その設置を外壁パネルの建方後の段階で行うことができ、加えて、それを実現するためのスリットを、外壁面材と下地材との組み合わせによって容易に形成することができる。
【図面の簡単な説明】
【図１】実施形態の縦目地止水構造を示すもので、図（イ）は平面断面図、図（ロ）は要部拡大平面図である。
【図２】同分解平面断面図である。
【図３】外壁パネルを示すもので、図（イ）は平面断面図、図（ロ）は分解平面断面図である。
【符号の説明】
１…外壁パネル
２…スリット
３…面状止水材
５…外壁面材
６…下地材
６ａ…切欠き
７…パネルフレーム
８…粘着止水材
【図１】
2005023710.tif 000003
【図２】
2005023710.tif 000004
【図３】
2005023710.tif 000005